(57)【要約】      （修正有）【課題】溶接技術で、冷陰極管の燈芯と高圧導線とを接続して、これにより、溶接接点の抵抗を低減して、導電効能を向上できる、冷陰極管の接点構造を提供する。【解決手段】冷陰極管２０には、高圧導線２２と接続する燈芯２１があり、当該高圧導線２２には、絶縁層２３が覆われ、冷陰極管２０の燈芯２１と接続するための、一部だけの導体が漏出され、冷陰極管２０の燈芯２１と高圧導線２２とは、直接溶接により、融剤によることでなく、溶接されるため、当該接点２３の体積が小さくなり、また、高温高熱等の要因による、溶接解除や剥離等が避けられ、即ち、溶接加工の方式により、大幅に、冷陰極管２０の燈芯２１と高圧導線２２との接続の強度や安定固性が向上され、また、間接的に、冷陰極管２０を使用する時の信頼性が向上される。【選択図】図５
0003104432.tif 000002
【実用新案登録請求の範囲】
【請求項１】
冷陰極管の燈芯と高圧導線とを互いに接続する冷陰極管の接点構造において、
当該燈芯と当該高圧導線とは、溶接技術で溶接される、ことを特徴とする、冷陰極管の接点構造。
【請求項２】
当該溶接技術は、放電溶接技術や、ガス溶接技術、レーザ溶接技術、超音波溶接技術及び高周波溶接技術からなる群から選ばれる、ことを特徴とする、請求項1記載の冷陰極管の接点構造。
【請求項３】
当該燈芯と当該高圧導線の材質は、同じ材質か異なる材質かである、ことを特徴とする、請求項1記載の冷陰極管の接点構造。
【請求項４】
当該燈芯と当該高圧導線との溶接は、常温常圧下で行う、ことを特徴とする、請求項1記載の冷陰極管の接点構造。
【請求項５】
当該燈芯と当該高圧導線とのは、溶接設備で行う、ことを特徴とする、請求項2記載の冷陰極管の接点構造。
【考案の詳細な説明】
【技術分野】
【０００１】
本考案は、接点構造に関し、特に、冷陰極管と高圧導線との間の接点構造に関する。
【背景技術】
【０００２】
一般的に、冷陰極管の構造が簡単であるため、熱陰極管に比較すると、より細い蛍光管が使用でき、そのため、冷陰極管は、通常、液晶スクリーンやスキャナー等の電子製品に適用されて、これらの電子製品の体積を低減する。また、冷陰極管は、高電圧により、駆動されるため、冷陰極管の燈芯が、高圧導線に接続され、また、従来の、冷陰極管と高圧導線との接続は、溶接の方式により、例えば、図１乃至図3のように、それぞれが、冷陰極管10の燈芯11と高圧導線12とが溶接された後の接点14構造、冷陰極管10の燈芯11と高圧導線12との溶接接点14構造の拡大図、及び冷陰極管10の燈芯11と高圧導線12との溶接接点の実体図であり、図から分かるように、このような溶接方式は、空&#37554;や溶接不足などの問題が起こり、その原因は、燈芯11や高圧導線12の表面処理が良くない等であり、また、高電圧で、冷陰極管10を駆動する時、冷陰極管10の燈芯と高圧導線12との接点において、高温になり、この時、溶接不足である融剤は、高温高熱の影響により、剥離され、製品品質の信頼性が低減され、また、融剤で溶接する時、接点14の抵抗が大きくなり、導電性が悪くなり、冷陰極管10の品質に対しては、一定な影響を与える。
【０００３】
また、今に於いて、人力作業で、冷陰極管の燈芯と高圧導線とをはんだ付けするのが多いため、品質が安定しないことと、生産コストが高いことだけでなく、全体の生産高を向上しにくいし、溶接作業では、鉛や錫等の金属を使用するため、環境&#27737;染という問題があるので、溶接をする操作員の健康に悪影響を与えるだけでなく、直接的や間接的に全体環境が&#27737;染される。
【考案の開示】
【考案が解決しようとする課題】
【０００４】
本考案の主な目的は、溶接技術で、冷陰極管の燈芯と高圧導線とを接続して、これにより、溶接接点の抵抗を低減して、導電効能を向上できる、冷陰極管の接点構造を提供する。
【０００５】
本考案の他の目的は、安定な溶接接点を形成することにより、冷陰極管の燈芯と高圧導線との剥離という問題が防止できる、冷陰極管の接点構造を提供できる。
【０００６】
本考案の他の目的は、従来の溶接方式において、発生する環境&#27737;染という問題が防止される、冷陰極管の接点構造を提供する。
【０００７】
本考案の他の目的は、機械設備で、溶接動作を実行することにより、生産性を向上して、大量生産のコストが低減でき、製品により良い均一性を与える、冷陰極管の接点構造を提供する。
【０００８】
本考案の他の目的は、溶接点の体積が小さくなり、使用空間を低減できる、冷陰極管の接点構造を提供する。
【課題を解決するための手段】
【０００９】
本考案によれば、冷陰極管の接点構造は、冷陰極管の燈芯と高圧導線との溶接により形成され、溶接技術としては、高電圧放電溶接技術や、レーザ溶接技術、ガス溶接技術、超音波溶接技術及び高周波溶接技術等が挙げられ、溶接技術により、冷陰極管の燈芯と高圧導線との間の接続性が向上されて、接点構造の安定性が強化され、また、冷陰極管の燈芯と高圧導線との間の抵抗が低減されることにより、より良い導電効能が得られる。
【考案の効果】
【００１０】
本考案は、溶接技術で、冷陰極管と高圧導線と溶接し、溶接技術としては、放電溶接や、レーザ溶接、ガス溶接、超音波溶接或いは高周波溶接等の技術が挙げられ、溶接加工方式により、冷陰極管と高圧導線との接点抵抗を低減でき、導電効能を向上するだけでなく、さらに、溶接点の体積を小さくして、空間の節約ができ、また、溶接技術で、冷陰極管と高圧導線とを溶接することにより、従来の溶接加工方式による環境&#27737;染問題が解消でき、また、，本考案は、溶接設備により、加工作業をし、一方に、大量生産やコストの低減が実現され；、もう一方に、加工品質の制御が容易になり、溶接点の強度や提高&#29986;品之信頼性が確保される。
【考案を実施するための最良の形態】
【００１１】
以下、図面を参照しながら、具体的な実施例を説明することにより、本考案の目的や、技術内容、特徴及び達成できる効果が、より容易に理解できる。
【００１２】
本考案は、冷陰極管（Cold Cathode Fluorescent Lamp）の接点構造であり、溶接技術で、冷陰極管の燈芯と高圧導線とを接続させ、これにより、両者の接続強度が強化され、また、接点構造の抵抗を低減することにより、接点の導電効能が増進される。
【００１３】
図4は、本考案の実施例の概念図であり、図から分かるように、冷陰極管20には、高圧導線22と接続する燈芯21があり、当該高圧導線22には、絶縁層23が覆われ、冷陰極管20の燈芯21と接続するための、一部だけの導体が漏出され、図５及び図6は、それぞれ、冷陰極管20の燈芯21と高圧導線22との接点23構造の拡大図及び実体図であり、図から分かるように、冷陰極管20の燈芯21と高圧導線22とは、直接溶接により、融剤によることでなく、溶接されるため、当該接点23の体積が小さくなり、また、高温高熱等の要因による、溶接解除や剥離等が避けられ、即ち、溶接加工の方式により、大幅に、冷陰極管20の燈芯21と高圧導線22との接続の強度や安定固性が向上され、また、間接的に、冷陰極管20を使用する時の信頼性が向上される。
【００１４】
図7は、本考案が、放電溶接技術で、冷陰極管20の燈芯21と高圧導線22とを溶接する概念図であり、図から分かるように、冷陰極管20の燈芯21と高圧導線22とは、溶接設備の運送により、少しずつ接近して位置付け、この時、放電ヘッド24は、冷陰極管20の燈芯21と高圧導線22との交差点に対して、アーク26を放出し、このアーク26に含まれているエネルギーは、冷陰極管20の燈芯21と高圧導線22とに吸収され、一部の冷陰極管20の燈芯21と一部の高圧導線22とが、溶融状態になり、この時、当該溶融状態の燈芯21と高圧導線22とが、互に溶接され、また、この時、放電ヘッド24が、アークを放出することを停止し、その後、互いに溶接される冷陰極管20の燈芯21と高圧導線22との冷却固化を待つと、図5及び図6の冷陰極管の接点構造が得られる。
【００１５】
また、本考案の冷陰極管の接点構造は、他の溶接技術によっても達成でき、例えば、レーザ溶接や、ガス溶接、超音波溶接、高周波溶接或いは異なる溶接技術から組み合わせられる複合溶接技術が挙げられ、これらの溶接技術は、ともに従来技術であり、また、本考案の重点ではないので、説明を省略する。本考案において、冷陰極管の燈芯と高圧導線の材質は、同じ材質でも、異なる材質でもよいが、両者の材質が異なる場合、冷陰極管の燈芯と高圧導線とが、溶接された後、安定的に接続する合金が形成される。
【００１６】
上記の説明は、ただ、本考案のよりよい実施例であり、本考案の実施範囲は、それによって、制限されなくて、本考案の特許の請求範囲内で、色々な等価変化や修正は、本考案の特許の請求範囲内に含まれている。
【図面の簡単な説明】
【００１７】
【図１】従来の冷陰極管と高圧導線との溶接構造の概念図である。
【図２】図1の溶接接点構造の拡大概念図である。
【図３】図1の溶接接点構造の実体図である。
【図４】本考案の実施例の概念図である。
【図５】本考案の冷陰極管と高圧導線との溶接構造の概念図である。
【図６】本考案の冷陰極管と高圧導線との溶接構造の実体図である。
【図７】本考案が放電溶接技術で溶接加工をする概念図である。
【符号の説明】
【００１８】
10 
冷陰極管       
11  燈芯
12 
高圧導線       
14  接点
20 
冷陰極管       
21  燈芯
22 
高圧導線        23 
接点
24 
放電ヘッド      26  アーク
【図１】
0003104432.tif 000003
【図２】
0003104432.tif 000004
【図３】
0003104432.tif 000005
【図４】
0003104432.tif 000006
【図５】
0003104432.tif 000007
【図６】
0003104432.tif 000008
【図７】
0003104432.tif 000009